(57)【要約】【課題】設置のしやすいケーブル送り装置等を提供する。【解決手段】ケーブル送り装置１は、ケーブルＣを一直線方向に送り出す一対の弾性ローラ２と、ケーブルＣが一直線方向に平行な平面部３から離間した状態で送り出されるように一対の弾性ローラ２をそれぞれの回動中心である回動軸４を介し支持する基台５と、一対の弾性ローラ２を、回動軸４を介し回動駆動するモータＭとを備える。  ケーブル送り装置１は、ケーブルＣの平面部３に対する垂直方向の離間距離が減少する側への移動を規制する規制部１０を備える。そして、ケーブル送り装置１は、一直線方向の両端部にフック１４が設けられている  これにより、例えば、はしご状のラックの横桟に係合させるだけで容易にケーブル送り装置１を固定することができる。【選択図】図１
2020078219.tif 000002
【特許請求の範囲】
【請求項１】
ケーブル（Ｃ）を挟み込むとともに回動することで前記ケーブルを一直線方向に送り出す一対の弾性ローラ（２）と、
前記ケーブルが前記一直線方向に平行な平面部（３）から離間した状態で送り出されるように前記一対の弾性ローラをそれぞれの回動中心である回動軸（４）を介し支持する基台（５）と、
前記一対の弾性ローラを、前記回動軸を介し回動駆動するモータ（Ｍ）と、
前記ケーブルの前記平面部に対する垂直方向の離間距離が所定距離より減少する側への移動を規制する規制部（１０）を備えるケーブル送り装置（１）において、
前記一直線方向の両端部にフック（１４）が設けられることを特徴とするケーブル送り装置。
【請求項２】
請求項１に記載のケーブル送り装置において、
前記フックは、前記基台から前記一直線方向に前記基台から離れる方向に延びる基部（１５）、前記基部から延設される前記平面部に垂直な方向に張り出す張出部（１６）、および、前記張出部から延設され前記一直線方向の一方側に延びるとともに前記基部に対向する先端部（１７）を有することを特徴とするケーブル送り装置。
【請求項３】
請求項１または請求項２に記載のケーブル送り装置と、
前記フックと係合する横桟（２１）を有するはしご状のラック（２０）とを備えるケーブル送りユニット。
【発明の詳細な説明】
【技術分野】
【０００１】
本発明は、各種電気ケーブル等を連続的に送るケーブル送り装置、および、このケーブル送り装置を有するケーブル送りユニットに関する。
【背景技術】
【０００２】
従来から、ケーブルを挟み込むとともに回動することでケーブルを一直線方向に送り出す一対の弾性ローラと、ケーブルが一直線方向に平行な平面部から離間した状態で送り出されるように一対の弾性ローラをそれぞれの回動中心である回動軸を介し支持する基台と、一対の弾性ローラを、回動軸を介し回動駆動するモータと、ケーブルの平面部に対する垂直方向の離間距離が所定距離より減少する側への移動を規制する規制部を備えるケーブル送り装置が知られている（例えば、特許文献１参照。）。
【０００３】
このような、ケーブル送り装置は、水平位置に設置されることが前提となっており、基台の上方に一対の弾性ローラが位置するように配され、規制部によって、重力によるケーブルの平面部に対する垂直方向の移動が規制されて、ケーブルと平面部との離間距離が一定に保たれた状態でケーブルが送り出されるのが一般的である（図５参照。）。
なお、図中ケーブル上の矢印は、ケーブル送り方向を表している。
【０００４】
近年、建築物の高層化に伴い、ケーブルを垂直方向上方に送る必要が生じてきた。この場合、垂直方向に複数のケーブル送り装置を設置し、ケーブルを垂直方向上方に送らなければならない。しかし、垂直方向に配される複数のケーブル送り装置のそれぞれを締結具等で固定するのは煩わしいという問題があった。
【先行技術文献】
【特許文献】
【０００５】
【特許文献１】実用新案登録第２５８３０３３号公報
【発明の概要】
【発明が解決しようとする課題】
【０００６】
本発明は、上記の問題点を解決するためになされたものであり、設置のしやすいケーブル送り装置等を提供する。
【課題を解決するための手段】
【０００７】
本願発明によれば、ケーブル送り装置は、ケーブルを挟み込むとともに回動することでケーブルを一直線方向に送り出す一対の弾性ローラと、ケーブルが一直線方向に平行な平面部から離間した状態で送り出されるように一対の弾性ローラをそれぞれの回動中心である回動軸を介し支持する基台と、一対の弾性ローラを、回動軸を介し回動駆動するモータとを備える。
そして、ケーブル送り装置は、ケーブルの平面部に対する垂直方向の離間距離が所定距離より減少する側への移動を規制する規制部を備える。
【０００８】
そして、ケーブル送り装置は、一直線方向の両端部にフックが設けられる。
これにより、一直線方向の両端部のフックを、例えば、はしご状のラックの横桟に係合させるだけで容易にケーブル送り装置を固定することができる。このような固定方法は、特にラックが垂直方向に延びている場合に重力の作用でフックと横桟とが強固に係合するためより効果的である。
このため、ケーブル送り装置を容易にラック等に設置することができる。
【図面の簡単な説明】
【０００９】
【図１】ケーブル送り装置の斜視図である（実施例）。
【図２】ケーブル送り装置の側面図である（実施例）。
【図３】一対の弾性ローラの動作説明図である（実施例）。
【図４】ケーブル送りユニットの説明図である（実施例）。
【図５】ケーブル送り装置の説明図である（従来例）。
【発明を実施するための形態】
【００１０】
以下、発明を実施するための形態を実施例に基づいて説明する。
【実施例】
【００１１】
本発明の実施例によるケーブル送り装置１を図１、２に示す。
ケーブル送り装置１は、各種電気ケーブル等を連続的に送るものである。ここで、各種電気ケーブル等は電力ケーブル、例えば、断面積３２５平方ミリメートルのケーブル１ｍで重量約１１ｋｇ、のように重いものである。
【００１２】
ケーブル送り装置１は、ケーブルＣを挟み込むとともに回動することでケーブルＣを一直線方向に送り出す一対の弾性ローラ２と、ケーブルＣが一直線方向に平行な平面部３から離間した状態で送り出されるように一対の弾性ローラ２をそれぞれの回動中心である回動軸４を介し支持する金属製の基台５と、一対の弾性ローラ２を、回動軸４を介し回動駆動するモータＭとを備える。
なお、一対の弾性ローラ２は、中空の弾性部材となっており、留め具等でそれぞれの回動軸４に固定されており、回動軸４と一体的に回動する。
また、ケーブル送り装置１は、基台５を専用のラック等に固定することで、固定されている。
【００１３】
ここで、一対の弾性ローラ２の動作について図３を用いて具体的に説明する。
先ず、モータＭへの通電により、減速ギアユニット（図示せず。）、ヘリカルギアユニット６を介して、原動ホイール７を回動させる。
そして、原動ホイール７が回動することで、チェーン８を介して一対のチェーンホイール９が回動する。
なお、チェーンホイール９は、それぞれ、回動軸４と一体的に設けられており、それぞれのチェーンホイール９および回動軸４が互いに逆方向に回動することで、一対の弾性ローラ２は互いに逆方向に回動し、狭持するケーブルＣを一直線方向に送り出す。
【００１４】
なお、一対の弾性ローラ２は、それぞれ所定のトルクで１０から２０ＲＰＭ程度の回転数で回動している。また、一対の弾性ローラ２間の距離は、一方の回動軸４を他方の回動軸４の側にスライドさせることで変更することが可能となっている。
【００１５】
そして、ケーブル送り装置１は、ケーブルＣの平面部３に対する垂直方向の離間距離が所定距離より減少する側への移動を規制する規制部１０を備える（図１、２参照。）。
なお、規制部１０は、ケーブル送り方向の上流側と下流側の双方に設けられている。
また、規制部１０は、それぞれ基台５に固定される金属製の枠体１２によって支持されている。なお、実施例において、規制部１０は金属製の円柱状であり、軸が平面部３に平行かつ一直線方向に垂直になるように枠体１２に回動自在に支持されている。
【００１６】
これにより、基台５の上方に一対の弾性ローラ２が位置するようにケーブル送り装置１が配された場合、規制部１０によって、重力によるケーブルＣの平面部３に対する垂直方向の移動が規制されて、ケーブルＣと平面部３との離間距離を一定に保つことができる。
【００１７】
[実施例の特徴]
実施例におけるケーブル送り装置１の特徴的な構成について、図１、図２を用いて説明する。
ケーブル送り装置１は、一直線方向の両端部にフック１４が設けられている。
なお、フック１４は、ケーブル送り装置１の４か所に、それぞれ図示上下方向に対となって設けられている。
【００１８】
ここで、フック１４は、基台５から一直線方向に基台５から離れる方向に延びる基部１５、基部１５から延設される平面部３に垂直な方向に張り出す張出部１６、および、張出部１６から延設され一直線方向の一方側に延びるとともに基部１５に対向する先端部１７を有する（図２参照。）。
【００１９】
［実施例の効果］
ケーブル送り装置１は、一直線方向の両端部にフック１４が設けられている。
これにより、図４に示すように、フック１４を、例えば、はしご状のラック２０の横桟２１に係合させるだけで容易にケーブル送り装置１を固定することができる。このような固定方法は、特にラック２０が垂直方向に延びている場合に重力の作用、および、ケーブル送りの反作用でフック１４と横桟２１とがより強固に係合するため、より効果的である。
なお、一対の弾性ローラ２と横桟２１との配置関係は図４の態様に限定されるものではなく、ケーブルＣと横桟２１とが接触しない構成であればよく、一対の弾性ローラ２とフック１４の平面部３に垂直な方向の離間距離は適宜調整できる。
【符号の説明】
【００２０】
１  ケーブル送り装置  ２  一対の弾性ローラ  ３  平面部  ４  回動軸  ５  基台
１０  規制部  １４  フック  Ｃ  ケーブル  Ｍ  モータ
【図１】
2020078219.tif 000003
【図２】
2020078219.tif 000004
【図３】
2020078219.tif 000005
【図４】
2020078219.tif 000006
【図５】
2020078219.tif 000007